(57)【要約】【課題】ピックアップ光軸のディスク上軌跡がディスク直径線上となるように調整するための機構を少ない部品で構成し、占有場所が狭く組み立ても容易にできるとともに、他の調整ネジと同一面から調整することができる機構を備えた光ディスク装置を提供する。【解決手段】光ピックアップのガイドシャフトを、ピックアップ光軸のディスク上軌跡がディスク直径線上となるように調整するための機構を備える光ディスク装置であって、前記機構はガイドシャフトを支持点で支持しかつガイドシャフトの調整をするねじであって、その支持点がねじ回しに応じて調整方向に変化するような形状である位置決ねじを備えた光ディスク装置を提供する。【選択図】図１
2009116976.tif 000002
【特許請求の範囲】
【請求項１】
光ピックアップのガイドシャフトを、ピックアップ光軸のディスク上軌跡がディスク直径線上となるように調整するための機構を備える光ディスク装置であって、
前記機構は、
ガイドシャフトを支持点で支持しかつガイドシャフトの調整をするねじであって、その支持点がねじ回しに応じて調整方向に変化するような形状である位置決ねじを備えた光ディスク装置。
【請求項２】
位置決ねじは、ねじ回転軸に対して偏心した略円筒状頭頂部を有し、前記支持点は前記略円筒状頭頂部側面である請求項１に記載の光ディスク装置。
【請求項３】
位置決ねじは、ねじ頭頂部と反対側の端部にドライバーとの噛合部が設けられている請求項１又は２に記載の光ディスク装置。
【請求項４】
ガイドシャフトを位置決ねじ支持点に対して付勢する板ばねを備えた請求項１から３のいずれか一に記載の光ディスク装置。
【発明の詳細な説明】
【技術分野】
【０００１】
本発明は、光ディスク装置に関し、特に、光ピックアップのガイドシャフトをピックアップ光軸のディスク上軌跡がディスク直径線上となるように調整するための機構を備えた光ディスク装置に関する。
【背景技術】
【０００２】
ＣＤ、ＤＶＤなどを対象とする光ディスク装置においては、トラッキングエラー信号の精度を改善してプレイアビリティーを向上させるために、光ディスクの記録・再生を行うためのピックアップ光軸のディスク上軌跡がディスク直径線上となるようにピックアップ光軸のディスク直径に対する傾角の調整（チルト調整）などを行う必要がある。かかる調整を行うための技術として、例えば特許文献１では、スピンドルモータとピックアップ組立体とピックアップ組立体の往復運動をガイドする主軸及び副軸から成るピックアップ用ガイド手段とを備える光ディスク装置であって、主軸及び副軸を保持する手段にばね、固定部材、係止部材からなるずれ調整機構を組み込んだ光ディスク装置が開示されている（特許文献１参照）
【特許文献１】特開２０００‐０２０９６２号公報
【発明の開示】
【発明が解決しようとする課題】
【０００３】
しかし、かかる従来の装置の場合、ずれ調整機構はばねをはじめ構成部品が比較的多く、占有場所も広く必要で、組み立てにも時間がかかるという問題があった。また、調整にあたってはまず主軸をシャーシに平行な面内で移動させることで調整し、その後主軸及び副軸をシャーシの高さ方向に移動させることで調整するという方法が採られているため、調整方向が異なっており、同一面から調整する場合と比較すると作業が煩雑になるという問題もあった。
【０００４】
そこで、本発明の解決すべき課題は、ピックアップ光軸のディスク上軌跡がディスク直径線上となるように調整するための機構を少ない部品で構成し、占有場所が狭く組み立ても容易にできるとともに、他の調整ネジと同一面から調整することができる機構を備えた光ディスク装置を提供することにある。
【課題を解決するための手段】
【０００５】
以上の課題を解決するため、本発明のうち、第一の発明は、光ピックアップのガイドシャフトを、ピックアップ光軸のディスク上軌跡がディスク直径線上となるように調整するための機構を備える光ディスク装置であって、前記機構はガイドシャフトを支持点で支持しかつガイドシャフトの調整をするねじであって、その支持点がねじ回しに応じて調整方向に変化するような形状である位置決ねじを備えた光ディスク装置を提供する。
また、第二の発明は、第一の発明を基礎として、位置決ねじは、ねじ回転軸に対して偏心した略円筒状頭頂部を有し、前記支持点は前記略円筒状頭頂部側面である光ディスク装置を提供する。
また、第三の発明は、第一又は第二の発明を基礎とし、位置決ねじは、ねじ頭頂部と反対側の端部にドライバーとの噛合部が設けられている光ディスク装置を提供する。
また、第四の発明は、第一から第三のいずれか一の発明を基礎として、ガイドシャフトを位置決ねじ支持点に対して付勢する板ばねを備えた光ディスク装置を提供する。
【発明の効果】
【０００６】
本発明により、ピックアップ光軸のディスク上軌跡がディスク直径線上となるように調整するための機構を少ない部品で構成し、占有場所が狭く組み立ても容易にできるとともに、他の調整ネジと同一面から調整することができる機構を備えた光ディスク装置を提供することが可能となる。
【発明を実施するための最良の形態】
【０００７】
以下に、本発明の実施例を説明する。実施例と請求項の相互の関係は以下のとおりである。実施例１は主に請求項１などに関し、実施例２は主に請求項２などに関し、実施例３は主に請求項３などに関し、実施例４は主に請求項４などに関する。なお、本発明はこれら実施例に何ら限定されるものではなく、その要旨を逸脱しない範囲において、種々なる態様で実施しうる。
【実施例１】
【０００８】
＜概要＞
本実施例の光ディスク装置は、光ピックアップのガイドシャフトを、ピックアップ光軸のディスク上軌跡がディスク直径線上となるように調整するための機構を備える光ディスク装置であって、当該機構が、ガイドシャフトを支持点で支持しかつガイドシャフトの調整をするねじであって、その支持点がねじ回しに応じて調整方向に変化するような形状である位置決ねじを備えたことに特徴を有する。
【０００９】
＜構成＞
（全般）
図１は、本実施例の光ディスク装置の調整機構の概要を示す概念図である。以下、本図を用いて調整の仕組みを説明する。
本図では、シャーシ０１０８上に対物レンズ０１０１を備えた光ピックアップ０１０２及び当該ピックアップを摺動可能に支持するための２本のガイドシャフト０１０３、０１０４が配置されている。このうち、一方のガイドシャフト０１０３（本図では右側に示す。以下便宜上「副シャフト」ということがある。）は、上端部、下端部においてそれぞれ保持部０１０５によって支持されている。これに対し、他方のガイドシャフト０１０４（本図では左側に示す。以下便宜上「主シャフト」ということがある。）は、上端部においてチルト保持部０１０６によって支持されるとともに、下端付近において、位置決（いちぎめ）ねじ０１０７によって支持されている。
【００１０】
この位置決ねじは、シャーシにねじ回されることにより嵌合され、ガイドシャフトをねじ表面上の一点（支持点）０１０９で支持するように構成されている。また、位置決ねじは、以下に詳細に説明するように、その支持点がねじ回しに応じて調整方向に変化するような形状になっている。このため、ガイドシャフトは、この支持点の変化に応じてチルト保持部を支点として移動することが可能である。この移動は、位置決ねじによって支持点で支持されつつ行われる。さらに、シャーシ上にはスピンドルモータに接続されたターンテーブル０１１０が備えられ、ディスク０１１１（外縁部の一部の位置を示す）を搭載して回転させるようになっている。このとき、ピックアップ光軸のディスク上軌跡がディスク直径線０１１２上となるようにする必要がある。そこで、上の調整機構を調整方向に変化させて調整する。ここで「調整方向」とは、ピックアップ光軸のディスク上軌跡がディスク直径線上となるように主シャフトを移動させる方向であり、本図の例では、矢印Ａ及びＡ´で示す略左右方向である。具体的には、位置決ねじをねじ回しながら上下させて、後に詳述する作用によって主シャフトを左右に移動させる。するとこれに伴って光ピックアップも左右に移動するので、光ピックアップの対物レンズの位置がディスク直径線上にくるように調節することができる。このため、ピックアップに対する副シャフトによる支持は、単に副シャフト上にピックアップを載置することによってなされており、主シャフトの移動に伴いピックアップが副シャフト上で左右に移動できるようになっている。
【００１１】
（位置決ねじ）
図２は、本実施例の光ディスク装置の位置決ねじの形状の一例を示す図であって、図１のＸ‐Ｘ断面図である。当該位置決ねじ０２０７は、例えばその頭頂部０２１３に設けられたドライバーとの噛合部（ねじ溝）０２１４を利用してねじ回すことによりシャーシ０２０８のねじ穴０２１５内で回転しつつ上下動可能である。また、位置決ねじは、その斜面の支持点０２０９で主シャフトを支持しており、その支持点がねじ回しに応じて調整方向に変化するような形状になっている。そこで、位置決ねじをねじ回して上下動させると、この支持点が左右に移動し、これに伴って主シャフトも左右に移動することになる。本図の例では、位置決ねじの形状は略円錐形状であり、ねじを回して上方向に例えば破線０２０７ａで示した位置まで移動させると支持点０２０９が左方向に新たな支持点０２０９ａで示す位置まで移動する。従って、支持点で支持されている主シャフト０２０４も左方向に破線で示す位置０２０４ａまで移動することになる。
【００１２】
位置決ねじの形状は、その支持点がねじ回しに応じて調整方向に変化するような形状になっていればよく、本図の略円錐形状以外に略半球状などであってもよい。また、別の実施例で詳述するように、回転軸に対して偏心した略円筒状頭頂部を有し、略円筒状頭頂部側面にある支持点がねじ回しに応じて移動するような形状であってもよい。
【００１３】
ところで、位置決ねじを上下動させた場合に、主シャフトに対する支持点が左右方向に移動せず上下方向に移動してしまったり、左右方向に移動するものの上下方向にも移動してしまったりすることがないようにする必要がある。そこで、図示は省略するが、位置決ねじを上下動させたときに主シャフトに対する支持点が左右方向にのみ移動するようにするため、主シャフトの位置を上下方向から規制する部材が設けられている必要がある。また、主シャフトが位置決ねじなどから左方向に脱落しないように主シャフトの位置を左方でも規制する部材が設けられている必要もある。このような部材としては、例えばシャーシに取り付けられた位置決ねじ支持点に対して付勢する板ばねが考えられる。あるいは、例えばシャーシに対して平行に取り付けられ、主シャフトを挟んで保持する割り箸状の部材が考えられる。
【００１４】
図３はかかるガイドシャフト（主シャフト）の移動によりピックアップ光軸のディスク上軌跡がディスク直径線上となるように調整する機構について説明するための図である。このうち、図３（ａ）は、ピックアップ０３０２の対物レンズ０３０１がディスク直径線上０３１２ではなく、それよりもやや右寄りにずれた位置になっている状態を示している。このため、この状態でピックアップ０３０２をガイドシャフト０３０３、０３０４上で摺動させてもピックアップ光軸のディスク上軌跡はディスク直径線には一致しないことになる。そこで、このような場合には位置決ねじ０３０７を上方向に移動させて主シャフト０３０４を左方向に移動させ、これによりガイドシャフトによって支持されているピックアップの位置を、ピックアップ光軸のディスク上軌跡がディスク直径線上となる位置になるまで左方向に移動させる。図３（ａ）に破線０３０４ａで示した主シャフトの位置は、このようにして移動させた後の位置を示している。
【００１５】
この結果、図３（ａ）では図示を省略したが、主シャフト上に摺動方向にのみ移動可能に載置されているピックアップ０３０２も主シャフトが左方向に移動した分だけ左方向に移動し、対物レンズもディスク直径線上となる位置に移動する。図３（ｂ）は、このようにしてガイドシャフトの位置を移動させることにより、ピックアップ光軸のディスク上軌跡がディスク直径線上となる位置になるようにした状態を示す。即ち、図３（ｂ）に示す主シャフト０３０４は、図３（ａ）において破線０３０４ａで示した位置に移動した後のものであり、これにより、対物レンズ０３０１がディスク直径線０３１２上に移動してピックアップ光軸のディスク上軌跡がディスク直径線上となる位置になったことが示されている。
【００１６】
＜効果＞
本実施例の発明により、ピックアップ光軸のディスク上軌跡がディスク直径線上となるようにするための調整を、位置決ねじをねじ回してこれによって支持されているガイドシャフトを移動させるという仕組みを用いた機構だけで実現することができる。このため、かかる調整機構を少ない部品で構成し、占有場所が狭く組み立ても容易にできるとともに、他の調整ネジと同一面から調整することができる機構を備えた光ディスク装置を提供することが可能となる。
【実施例２】
【００１７】
＜概要＞
本実施例の光ディスク装置は、実施例１の装置と基本的に共通するが、位置決ねじは、ねじ回転軸に対して偏心した略円筒状頭頂部を有し、支持点は略円筒状頭頂部側面である点に特徴を有する。
【００１８】
＜構成＞
（位置決ねじ）
図４は、本実施例の光ディスク装置の位置決ねじの形状の一例を示す図である。本実施例の位置決ねじ０４０７は、ねじ回転軸０４１６に対して偏心した略円筒状頭頂部０４１７を有する。また、主シャフト０４０４を支持する支持点０４０９は、当該略円筒状頭頂部側面である。また、本図に示す例では、当該位置決ねじは雄ねじであり、シャーシ０４０８に取り付けられた雌ねじ０４１８に回転可能に嵌合されている。そして本図の例では、ガイドシャフトは雌ねじの頭頂部をなす平面０４１８ａ上に載置される形で配置されている。そこで、例えば位置決ねじの頭頂部に設けられたドライバーとの噛合部０４１４を利用してねじ回すことにより、当該位置決ねじの頭頂部側面の位置を左右方向に移動させることが可能である。そして、これに伴い、雌ねじ頭頂部平面上に載置されたガイドシャフトも左右方向に移動させることが可能となる。
【００１９】
図４に破線０４１７ａで示した略円筒状頭頂部の位置は、位置決ねじを略１８０度ねじ回した状態の位置を示す。すると、当該位置決ねじはねじ回転軸に対して偏心しているため、略円筒状頭頂部側面が当初の状態よりも左方向に張り出した状態となり、これによって主シャフトが雌ねじ頭頂部平面上をこの張り出した距離分だけ左方向に移動して破線０４０４ａで示す位置にくる。この結果、実施例１で説明したのと同様の主シャフトとピックアップの配置・移動関係に基づいてピックアップ光軸のディスク上軌跡がディスク直径線上となるように調整することが可能となる。
【００２０】
また、本実施例においても、実施例１の場合と同様に、位置決ねじを上下動させたときに主シャフトに対する支持点が左右方向にのみ移動し、かつ主シャフトが雌ねじ等から脱落しないようにするため、主シャフトの位置を上下方向及び左方から規制する部材が設けられている必要がある。このような部材としては、例えばシャーシに取り付けられた位置決ねじ支持点に対して付勢するばね（板ばねなど）やゴムが考えられる。あるいは、主シャフトが磁石でできており、位置決ねじ及び雌ねじを鉄などの金属製とすることで主シャフトと位置決ねじ・雌ねじとの接触を保つようにしてもよい。
【００２１】
＜効果＞
本実施例の発明により、ピックアップ光軸のディスク上軌跡がディスク直径線上となるように調整するための機構を少ない部品で構成し、占有場所が狭く組み立ても容易にできるとともに、他の調整ネジと同一面から調整することができる機構を備えた光ディスク装置をより好適な装置として提供することが可能となる。
【実施例３】
【００２２】
＜概要＞
本実施例の光ディスク装置は、実施例１の装置と基本的に共通するが、本実施例では位置決ねじのねじ頭頂部と反対側の端部にドライバーとの噛合部が設けられている点に特徴を有する。
【００２３】
＜構成＞
（位置決ねじ）
図５は、本実施例の光ディスク装置の位置決ねじの形状の一例を示す図である。本実施例の位置決ねじ０５０７は、ねじ頭頂部０５１７と反対側の端部０５１９にドライバーとの噛合部０５２０が設けられている。本図の例は、実施例２について図４で示したのと同様、位置決ねじがねじ回転軸に対して偏心した略円筒状頭頂部を有する例を示しているが、本実施例の位置決ねじはこのようなものに限られず、例えば実施例１について図２に示したのと同様の略円錐形状のものなどであってもよい。
かかる構成により、実施例１で説明した構成により、ピックアップ光軸のディスク上軌跡がディスク直径線上となるように調整することができる。
【００２４】
このように位置決ねじのねじ頭頂部と反対側の端部にドライバーとの噛合部が設けるようにしたのは、例えば、シャーシ表面上において位置決めねじのすぐ近傍に他の部材が配置されているとか、ターンテーブルにディスクを搭載した状態で調整を行う必要があるといったシャーシの表側からの作業が困難な場合にも、シャーシの裏側から容易に作業を行うことができるようにするためである。
【００２５】
なお、位置決ねじを上下動させたときに主シャフトに対する支持点が左右方向にのみ移動し、かつ主シャフトが雌ねじ等から脱落しないようにするため、主シャフトの位置を上下方向及び左方から規制する部材が設けられている必要がある点については、実施例１、実施例２で述べたところと同様である。
【００２６】
＜効果＞
本実施例の発明により、ピックアップ光軸のディスク上軌跡がディスク直径線上となるように調整するための機構を少ない部品で構成し、占有場所が狭く組み立ても容易にできるとともに、他の調整ネジと同一面から調整することができる機構を備えた光ディスク装置であって、シャーシの表側からの作業が困難な場合にも、シャーシの裏側から容易に作業を行うことができる装置を提供することができる。
【実施例４】
【００２７】
＜概要＞
本実施例の光ディスク装置は、実施例１の装置と基本的に共通するが、本実施例ではガイドシャフトを位置決ねじ支持点に対して付勢する板ばねを備えた点に特徴を有する。
【００２８】
＜構成＞
（全般）
図６は、本実施例の光ディスク装置の調整機構の概要を示す概念図である。本図に示す調整機構は、実施例１について図１で示したものと基本的に共通するが、図１の例と異なり、ガイドシャフト（主シャフト）０６０４を位置決ねじ０６０７の支持点０６０９に対して付勢する板ばね０６２１が備えられている。この板ばねは例えばシャーシ０６０８にねじ止めなどによって固定されたものである。
【００２９】
（ガイドシャフトを位置決ねじ支持点に対して付勢する板ばね）
図７は、ガイドシャフトを位置決ねじ支持点に対して付勢する板ばねの形状の一例を示す図であって、図６のＸ‐Ｘ断面図である。本図に示すように、板ばね０７２１は、シャーシ０７０８に固定され、その付勢力によってガイドシャフト０７０４が位置決ねじ等（本図の例では雌ねじ頭頂部平面０７１８ａ）から脱落しないように押さえつける機能を果たしている。板ばねの形状は、本図の例では、斜面が略矩形の形状であるが、上述のような機能を果たし得るものであれば、特に限定はない。また、板ばねの材料にも特に限定はないが、一例として金属製のものが挙げられる。
【００３０】
なお、本図に示した位置決ねじは、実施例３について図５に示したものと同様の形状のものの例であるが、この形状もかかるものに限定されるわけではなく、例えば実施例１について図２に示した形状や、実施例２について図４で示した形状のものであってもよい。
【００３１】
＜効果＞
本実施例の発明により、ピックアップ光軸のディスク上軌跡がディスク直径線上となるように調整するための機構を少ない部品で構成し、占有場所が狭く組み立ても容易にできるとともに、他の調整ネジと同一面から調整することができる機構を備えた光ディスク装置であって、ガイドシャフトが位置決ねじ等から脱落しないようにした装置を提供することができる。
【図面の簡単な説明】
【００３２】
【図１】実施例１の光ディスク装置の調整機構の概要を示す概念図
【図２】実施例１の光ディスク装置の位置決ねじの形状の一例を示す図
【図３】ガイドシャフトの移動によりピックアップ光軸のディスク上軌跡がディスク直径線上となるように調整する機構について説明するための図
【図４】実施例２の光ディスク装置の位置決ねじの形状の一例を示す図
【図５】実施例３の光ディスク装置の位置決ねじの形状の一例を示す図
【図６】実施例４の光ディスク装置の調整機構の概要を示す概念図
【図７】ガイドシャフトを位置決ねじ支持点に対して付勢する板ばねの形状の一例を示す図
【符号の説明】
【００３３】
０１０１      対物レンズ
０１０２      光ピックアップ
０１０３      ガイドシャフト（副シャフト）
０１０４      ガイドシャフト（主シャフト）
０１０５      保持部
０１０６      チルト保持部
０１０７      位置決ねじ
０１０８      シャーシ
０１０９      支持点
０１１０      ターンテーブル
０１１２      ディスク直径線
【図１】
2009116976.tif 000003
【図２】
2009116976.tif 000004
【図３】
2009116976.tif 000005
【図４】
2009116976.tif 000006
【図５】
2009116976.tif 000007
【図６】
2009116976.tif 000008
【図７】
2009116976.tif 000009